(57)【特許請求の範囲】
【請求項１】
四周に側板を立上げて箱状にプレス形成した筺体のうち、その両側に設けた上記側板の各前端縁に前板取付け片を外側に向けて折曲げ形成するとともに、上記筺体上面を覆う覆板には、その前端縁に前板を下向きに折曲げ形成し、さらに上記前板と上記前板取付け片の各面に、相互に噛み合い係合する断面凸状の補強部を長手方向に向けてプレス形成して、上記前板を上記前板取付け片の前面に接合させた状態で、上記覆板を上記筺体の開口部側に一体となるように結合したことを特徴とする扉錠ケース。
【発明の詳細な説明】
【０００１】
【発明の属する技術分野】
本発明は扉錠のケースに関する。
【０００２】
【従来の技術】
ハンドルや握り玉によってラッチを出入操作する扉錠においては、一般に、ラッチ機構を収容するケースをダイカストあるいはプレスによって形成するようにしている。
【０００３】
このうちでも、特にプレスによる形成品は、ダイカストによる成形品と較べて製造コストの面で優れており、通常、図５に示したように、筺体ａの前端縁に立上げた取付け片ｂに前板ｃをスポット溶接によって一体化するように構成しているが、この種のケースでは、ラッチに強い力を作用させるような強度試験を行ったような場合、筺体ａを介して前板ｃの中央部分に内方へ向かう強い力が加わるため、扉の端面に取付けられた前板ｃの長手方向両端部が、２点鎖線で示したように、簡単に外方へ反り返ってしまうといった不都合が生じる。
【０００４】
【発明が解決しようとする課題】
本発明はこのような問題に鑑みてなされたもので、その目的とするところは、ケースに強い力が作用した場合でも容易に変形することのない新たなプレス形成式の扉錠ケースを提供することにある。
【０００５】
【課題を解決するための手段】
すなわち、本発明はこのような課題を達成するための扉錠のケースとして、四周に側板を立上げて箱状にプレス形成した筺体のうち、その両側に設けた上記側板の各前端縁に前板取付け片を外側に向けて折曲げ形成するとともに、上記筺体上面を覆う覆板には、その前端縁に前板を下向きに折曲げ形成し、さらに上記前板と上記前板取付け片の各面に、相互に噛み合い係合する断面凸状の補強部を長手方向に向けてプレス形成して、上記前板を上記前板取付け片の前面に接合させた状態で、上記覆板を上記筺体の開口部側に一体となるように結合したものである。
【０００６】
【発明の実施の形態】
そこで以下に本発明の実施例について説明する。
図１は本発明の一実施例を示したものである。
【０００７】
図において符号１０は、内部にラッチ機構を収納する筺体で、プレスにより一体形成されるこの筺体１０は、同じくプレスによって形成される上カバー２０と結合され、１つの扉錠ケース１として構成される。
【０００８】
つぎに、これらの各部の詳細について説明すると、筺体１０は、底板１１の四辺から前側板１２と、両側板１３、１３と、後側板１４を立上げることによって、上方が開いた浅い箱状に形成され、その内部には、図３に示したようなラッチ５と、カム片６と、操作片７等よりなるラッチ機構、つまり本出願人が特開平３−２７５８７４号公報で開示したようなラッチ機構を収納するように構成されている。
【０００９】
この筺体１０には、また、その両側板１３、１３の前端縁から左右に向けて前板取付け片１６、１６がＬ字状に折曲げ形成されていて、これらの前面に、後述する前板２１を重ね合わせて取付けるように構成されている。
【００１０】
これに対して、上カバー２０は上記した筺体１０の上端を覆い得る大きさの板体として形成され、さらにその前端縁には、扉３０の端面に固定する前板２６が下方に向けてＬ字状に折曲げ形成されている。
【００１１】
この前板２６には、断面凸形の補強部１７が長手方向に絞り形成されていて、前板２６自体の補強を図るとともに、前板取付け片１６、１６に設けた断面凸形の補強片１７、１７と噛合わせることによって、外れることなく接合させるように構成されている。
【００１２】
なお、図中符号１５は、上カバー２０の後端に折曲げ形成した係合片２５を受入れるべく、筺体１０の後側板１４に凹設した嵌合凹部を示しており、また、１３ａ、１５ａ、１６ａは、それぞれ上カバー２０の対応する係合凹部２３ａ、２５ａ、２６ａにカシメ止めされる係合突部を示しており、またさらに、図中符号１８、２８は、前側板１２と前板２６の各対応する部分に設けたラッチ孔を示している。
【００１３】
このように構成した筺体１０と上カバー２０を組付けるには、はじめに、筺体１０内にラッチ５と、カム片６と、操作片７といったラッチ機構を構成する一群の部品を組付けた上、前板取付け片１６の前面に前板２６が接合するように位置合わせし、かつ後板１４の嵌合凹部１５に係合片２５が嵌合するように位置合わせして、筺体１０上に上カバー２０を結合する。
【００１４】
これにより、前板２６と前板取付け片１６は、それぞれの補強部２７、１７を噛合わせた状態で接合し合い、かつ各係合突部１３ａ、１５ａ、１６ａと係合凹部２３ａ、２５ａ、２６ａとが互いに係合し合うから、最後にこれらをカシメることによって、筺体１０と上カバー２０を結合一体とする。
【００１５】
そして最後に、結合一体としたケース１を、図３に示したように、扉３０の端面に設けた取付け孔３１に嵌込んだ上、その上から装飾板３３を当てて上下をネジ３５により固定する。
【００１６】
このようにして結合されると、前板取付け片１６は、側板１３に対して僅かにＺ軸回りの変形が生じるような状態で折曲げられ、また側板１３は、底板１１に対して僅かにＹ軸回りに変形が生じるような状態で折曲げられているため、前板取付け片１６は、底板１１に対して少なくともＸ軸方向に対して強い剛性をもって取付けられることになり、他方、上板２１前端縁に曲成された前板２６は、僅かにＸ軸回りに変形が生じるような状態で取付けられることになる。
【００１７】
したがって、これらの前板２６と前板取付け片１６とが接合されて一体化されると、前板２６は、Ｘ軸回り、Ｙ軸回り及びＺ軸回りの全てに変形することなく、しかも、補強部１７、２７により長手方向にも変形することのない強い剛性が付与される。
【００１８】
１mm厚の板材によってプレス形成した本願発明に係る扉錠ケースと、ダイカスト形成した１mm厚の扉錠ケースと、プレス形成した図４に示す従来の扉錠ケースのそれぞれに、同一試験機を用いてラッチに強い力を作用させる強度試験を行ったところ、本願発明に係わる扉錠ケースは、図４に実線で示したように、破線で示した従来のプレス形成品はもとより、１点鎖線で示したダイカスト成形品よりも著しく高い剛性を示すことが実証された。
【００１９】
【発明の効果】
以上述べたように本発明によれば、筺体と覆板とを結合するようにしたので、側板を介して二重に折曲げ形成した前板取付け片によるＸ軸方向の強い剛性と、覆板から下向きに折曲げ形成した前板のＹ軸方向及びＺ軸方向の剛性とによって、前板に、Ｘ軸方向、Ｙ軸方向及びＺ軸方向の全ての剛性を付与させて、この種のプレス成形型の扉錠ケースをきめて強固に形成することができる。
【図面の簡単な説明】
【図１】本発明の一実施例を示す扉錠ケースの分解斜視図である。
【図２】同上ケースの組付状態を示した図である。
【図３】同上ケースの内部構造を示した図である。
【図４】同上ケースの強度を示した図である。
【図５】従来の扉錠ケースの一例を示した平面図である。
【符号の説明】
１０  筺体
１３  側板
１６  前板取付け片
２０  上カバー
２６  前板
【図１】
0003794435.tif 000002
【図２】
0003794435.tif 000003
【図３】
0003794435.tif 000004
【図４】
0003794435.tif 000005
【図５】
0003794435.tif 000006